【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
ローカル測位および応答システムにおいて、
位置と関連づけられたメッセージを格納するよう構成されたサーバコンピュータと、
前記サーバコンピュータと結合された１以上の送信ユニットであって、該１以上の送信ユニットの各々が複数の成形ビーム信号を送信し、該１以上の送信ユニットの各々が、或るエリアの少なくとも一部分に対して、所定の強度プロファイルをそれぞれ有する成形ビーム信号を送信するよう各々が構成された複数の成形ビームアンテナを含む、１以上の送信ユニットと、
前記エリア内に配置された１以上の応答ユニットであって、該１以上の応答ユニットの各々が、
前記複数の成形ビーム信号を受信するよう構成された受信器、
１以上の物理的信号を発するよう構成された１以上のアクションモジュール、および、
前記１以上のアクションモジュールおよび前記受信器と結合されたプロセッサであって、
前記複数の成形ビーム信号の相対強度から、ローカル位置を計算し、
前記ローカル位置および前記メッセージの内容に基づき、前記メッセージに対する個々の応答を計算し、
前記アクションモジュールに、前記個々の応答に基づき前記１以上の物理的信号を発するようコマンドする
よう構成されたプロセッサ、
を含む、１以上の応答ユニットと
を備えたローカル測位および応答システム。
【請求項２】
前記送信ユニットがカメラを更に含み、
前記サーバコンピュータが、前記送信ユニットを介して前記応答ユニットに１以上のテストパターンメッセージを送信するよう更に構成され、
前記応答ユニットが、前記カメラが見ることができる物理的信号を用いて前記テストパターンメッセージに応答するよう更に構成され、
前記サーバコンピュータが、
前記テストパターンメッセージを送信した後に、前記送信ユニットに結合された前記カメラから画像を取得し、
前記１以上の応答ユニットによって生成された前記画像の前記テストパターンとの比較における歪みを決定するために、前記画像を解析し、
前記歪みを補償するために、後続のメッセージに歪み補正を適用する
よう更に構成された、
請求項１記載のシステム。
【請求項３】
前記応答ユニットと結合された前記アクションモジュールが、可視スペクトル外の光周波数のエミッタを更に含み、
前記送信ユニットと結合された前記カメラが、前記可視スペクトル外の光周波数を受信するよう構成された、
請求項２記載のシステム。
【請求項４】
前記応答ユニットが１以上のセンサを更に含み、
各前記応答ユニットに結合された前記プロセッサが、
前記１以上のセンサの値を取得し、
前記計算されたローカル位置、前記メッセージの前記内容、および前記１以上のセンサの前記の値のうち１以上に基づき、各前記メッセージに対する前記個々の応答を計算する
よう更に構成された、
請求項１記載のシステム。
【請求項５】
前記１以上のセンサが、加速度計、ジャイロスコープ、レート・ジャイロスコープ、圧力センサ、温度センサ、磁力計、人間生理学のセンサ、深度センサ、モーションセンサ、速度センサ、または近接センサを含む、請求項４記載のシステム。
【請求項６】
前記応答ユニットが送信器を更に含み、
前記送信ユニットが受信器を更に含み、
各前記応答ユニットに結合された前記プロセッサが、前記送信器を介して、前記送信ユニットと結合された前記受信器にセンサ値を送信するよう更に構成された、
請求項４記載のシステム。
【請求項７】
前記メッセージが、前記１以上のセンサの前記値に対する基準を含み、各前記応答ユニットに結合された前記プロセッサが、前記値が前記基準を満たす場合に、前記１以上のセンサの前記値を送信するよう構成された、請求項４記載のシステム。
【請求項８】
前記応答ユニットが送信器およびユーザ入力装置を更に含み、
前記送信ユニットが受信器を更に含み、
各前記応答ユニットに結合された前記プロセッサが、前記送信器を介して、前記送信ユニットと結合された前記受信器にユーザ入力を送信するよう更に構成された、
請求項１記載のシステム。
【請求項９】
前記物理的信号が、光、音、振動、非可視光、電気、衝撃、またはバズ音のうち１以上を含む、請求項１記載のシステム。
【請求項１０】
前記応答ユニットが人によって着用または携帯可能な、請求項１記載のシステム。
【請求項１１】
前記成形ビーム信号が、およそ
【数１】
2017508129.tif 000001
として強度が変化する略ガウス形状であり、
前記応答ユニットの前記ローカル位置を計算することが、前記ローカル位置を決定するために前記成形ビーム信号からの受信信号強度の対数を用いる、
請求項１記載のシステム。
【請求項１２】
前記応答ユニットの前記ローカル位置を計算することが、複数の成形ビーム信号の強度の絶対値ではなく相対強度を用いる、請求項１記載のシステム。
【請求項１３】
前記送信ユニットおよび前記成形ビーム信号の製造、設置、および較正が、前記ローカル位置が３フィート（約０．９ｍ）以下の単位まで正確であるのを可能にするのに十分に正確である、請求項１記載のシステム。
【請求項１４】
前記送信ユニットおよび前記成形ビーム信号の製造、設置、および較正が、前記ローカル位置が１フィート（約０．３ｍ）以下の単位まで正確であるのを可能にするのに十分に正確である、請求項１記載のシステム。
【請求項１５】
前記送信ユニットおよび前記成形ビーム信号の製造、設置、および較正が、前記ローカル位置が１インチ（約２．５ｃｍ）以下の単位まで正確であるのを可能にするのに十分に正確である、請求項１記載のシステム。
【請求項１６】
前記アクションモジュールによって発せられる前記物理的信号が光を含み、
前記サーバコンピュータが、複数の前記アクションモジュール上に表示される１以上のグラフィカルな画像を有するよう構成され、各前記アクションモジュールが、各前記グラフィカルな画像の１画素を表示し、
前記サーバコンピュータが、前記１以上のグラフィカルな画像を前記複数のアクションモジュール上に表示するために前記メッセージを計算するよう構成され、
前記応答ユニットと結合された前記プロセッサが、前記メッセージおよび前記応答ユニットの前記ローカル位置に基づき、各前記アクションモジュールから発する前記光の強度および色を計算するよう構成された、
請求項１記載のシステム。
【請求項１７】
前記１以上の応答ユニットが複数のグループに分けられ、
前記サーバが、前記１以上のグラフィカルな画像を複数のサブ画像に分割するために、異なる前記グループに対してそれぞれ異なるメッセージを送信するよう構成された、
請求項１６記載のシステム。
【請求項１８】
前記メッセージが、前記複数のアクションモジュールによって表示される１以上の形状を含む、請求項１６記載のシステム。
【請求項１９】
前記メッセージが前記１以上の形状の動きを含み、
前記応答ユニットと結合された前記プロセッサが、前記１以上の形状の前記動きに基づき、表示される経時的な一連の光の強度および色を計算するよう構成された、
請求項１８記載のシステム。
【請求項２０】
前記メッセージが誤差検出コードまたは誤差補正コードを含む、請求項１記載のシステム。
【請求項２１】
前記システムが、或る応答ユニットが定義されたローカル領域から出るよう移動した際のフィードバックを有する仮想フェンスを設ける、請求項１記載のシステム。
【請求項２２】
前記システムが、或るプレイヤーが規定の位置、エリア、または軌道の中または外へと移動した際にスポーツプレイヤーまたはコーチにフィードバックする、請求項１記載のシステム。
【請求項２３】
前記ローカルエリアが、スポーツスタジアム、スポーツフィールド、コンサートホール、円形劇場、劇場、トラック、体育館、またはアリーナのうち１以上を含む、請求項１記載のシステム。
【請求項２４】
前記システムが、コンテストに勝ったまたは賞の資格がある複数の応答ユニットのサブセットに対して通知する、請求項１記載のシステム。
【請求項２５】
前記メッセージがＩＰアドレスを含まない、請求項１記載のシステム。
【請求項２６】
前記メッセージがＩＰアドレスを含む、請求項１記載のシステム。
【請求項２７】
前記１以上の送信ユニットが復調信号を送信し、前記１以上の応答ユニットが、前記復調信号を用いて信号を復調して前記メッセージを取得する、請求項１記載のシステム。